(57)【特許請求の範囲】
【請求項１】
遊技盤を有する本体と、本体とヒンジを介して接続された透明板保持枠とを備え、透明板保持枠は本体の前面側で開閉可能な弾球遊技機であって、
前記ヒンジは、透明板保持枠が開閉される際の回動軸と、回動軸を相対的に回転可能に支持する軸支部と、回動軸又は回動軸及び軸支部の移動を可能とする移動手段とを有し、移動手段によって透明板保持枠を本体に対して横切る方向に移動可能であり、
本体は、遊技盤を有する機構部と、当該機構部とヒンジを介して接続され機構部の外側を囲む外郭枠とを有し、機構部は外郭枠に対して開閉可能であって、
機構部と外郭枠とを接続するヒンジの回動軸は、透明板保持枠と本体とを接続するヒンジの回動軸と同一であることを特徴とする弾球遊技機。
【請求項２】
前記回動軸は、段形状で、機構係合段と、外郭係合段と、透明板係合段とを有し、
機構係合段が機構部に位置し、外郭係合段が外郭枠に位置し、透明板係合段が透明板保持枠に位置する回動姿勢では、回動軸あるいは回動軸及び軸支部の移動が不能であり、所定の操作により、透明板係合段が機構部及び透明板保持枠に渡って配置され回動姿勢が解除されれば、回動軸あるいは回動軸及び軸支部の移動が可能となることを特徴とする請求項１に記載の弾球遊技機。
【請求項３】
移動手段は、長孔状のレールであって、当該レールは回動軸の移動を案内し、
回動軸をレールに沿って移動させることで透明板保持枠が移動することを特徴とする請求項１又は２に記載の弾球遊技機。
【請求項４】
遊技盤を有する本体と、本体とヒンジを介して接続された透明板保持枠とを備え、透明板保持枠は本体の前面側で開閉可能な弾球遊技機であって、
前記ヒンジは、透明板保持枠が開閉される際の回動軸と、回動軸を相対的に回転可能に支持する軸支部と、回動軸又は回動軸及び軸支部の移動を可能とする移動手段とを有し、移動手段によって透明板保持枠を本体に対して横切る方向に移動可能であり、
移動手段は、長孔状のレールであって、当該レールは回動軸の移動を案内し、
回動軸をレールに沿って移動させることで透明板保持枠が移動するものであり、
本体は、遊技盤を有する機構部と、当該機構部とヒンジを介して接続され機構部の外側を囲む外郭枠とを有し、機構部は外郭枠に対して開閉可能であって、
機構部と外郭枠とを接続するヒンジの回動軸と、透明板保持枠と本体とを接続するヒンジの回動軸は異なり、
前記本体に透明板保持枠が装着された状態において、前記機構部と外郭枠とを接続するヒンジの回動軸と透明板保持枠と本体とを接続するヒンジの回動軸は、遊技盤の面から直交方向に延びた同一の直線上に配されていることを特徴とする弾球遊技機。
【発明の詳細な説明】
【技術分野】
【０００１】
本発明は、パチンコ機等の弾球遊技機に関するものであり、ガラス枠を有する扉の構造に関するものである。
【背景技術】
【０００２】
遊技機として一般的に知られているものに、弾球遊技機（所謂パチンコ機）がある。このパチンコ機は、所定の入賞口を有すると共に、多数のクギが打たれた遊技盤を有し、鉄球、所謂パチンコ玉（以下、単に玉と言う）をハンドルを操作して発射させて、入賞口に入れるゲームである。
【０００３】
ところで、パチンコ機は、前記したように、多数のクギが打たれた遊技盤を有するため、遊技の最中に、クギ同士の間に玉が引っ掛かったり、さらにその引っ掛かった玉に後続の玉が引っ掛かり、複数の玉がブリッジ状に重なって詰まりを形成する場合がある。
そのため、従来より、このような場合には、パチンコ機の前面の扉を開いて玉を取り除く対応策をとっている。即ち、この種のパチンコ機１００は、図９に示すように、本体１と透明保持枠（前記前面の扉）２とによって構成されており、上下のヒンジ３ａ、３ｂによって透明保持枠２が本体１に対して開閉可能に支持されている。
【０００４】
より詳細に説明すると、本体１は、図１０に示すように、機構板（機構部）５と外郭枠６によって構成されている。
機構板５はクギ（図示せず）や入賞口７が設けられた遊技盤８を前面側（正面側）に有し、制御装置１０等が後面側（背面側）に設けられた部材である。また、外郭枠６は、機構板５を囲む長方形状の枠であり、パチンコ機１００を遊技場に設置する際に、遊技場の遊技島を構成する側壁側に取り付けられるものである。
なお、ここで言う遊技島は、１又は複数の遊技機が群をなして形成された遊技機群のことである。
【０００５】
透明板保持枠２は、ガラス板３０が嵌め込まれた板保持部３１と、上皿３２及びハンドル３３等が取り付けられたものである。また、透明板保持枠２の上部辺には、電飾３５及びスピーカ３６、３７が設けられている。透明板保持枠２の下部辺にも、電飾３８及びスピーカ４０、４１が設けられている。
【０００６】
ヒンジ３ａ、３ｂは、図１０に示すように、互いに天地逆に取り付けられたものであり、構成部材は同一であるから、代表として上部側のヒンジ３ａの構造を説明する。
ヒンジ３ａは、図１０に示すように、機構板５に取り付けられた上部片１１と、外郭枠６に取り付けられた中間片１２と、透明板保持枠２に取り付けられた下部部材１４によって構成されている。
【０００７】
上部片１１は、機構板５の上部左側に配されており、機構板５の本体から若干上方に立ち上げられ、前面に向かって突出している。そして、先端側が左側にオフセットしている。即ち、上部片１１は、図１１に示すように、垂直上方に立ち上げられた上方立設部１５と、前面に向かって延びた突出部１６と、水平方向に延びる面上であって左側に向かって延びるオフセット部１７とを有している。
そして、オフセット部１７から下向きにピン１８が垂下されている。
【０００８】
中間片１２は、外郭枠６の上部左側に配され、外郭枠６の上端から若干下方に立ち上げられて前面に向かって突出している。即ち、中間片１２は、図１１に示すように、垂直下方に伸ばされた下方立設部２０と、前面に向かって延びる突出部２１を有している。
そして、突出部２１には、切り欠き状の孔２２が設けられている。
【０００９】
下部部材１４は、透明板保持枠２と一体的に形成されたブロック状の部分であり、透明板保持枠２の上部左側に位置し、前面に向かって突出している。即ち、下部部材１４は、前面に向かってブロック状に突出したブロック状突部２５を有し、そのブロック状突部２５には上下方向に貫通した孔２６が形成されている。
【００１０】
そして、上記した上部片１１、中間片１２及び下部部材１４は、この順に上から重ねられ、上部片１１に設けられたピン１８が、中間片１２及び下部部材１４に設けられた孔２２、２６に挿通されている。なお、ヒンジ部３ｂについても、天地方向が逆であることを除けば同様である。
従って、パチンコ機１００では、前面側の扉である透明板保持枠２が上下のピン１８を中心として揺動することができる。
また、上部片１１についてもピン１８を中心として揺動することができるので、透明板保持枠２の背面側に位置する機構板５についても上下のピン１８を中心として揺動可能である。
【００１１】
従って、クギに玉が引っ掛かって詰まる等の事態が発生すると、図１３に示すように、透明板保持枠２を左側に位置するヒンジ３を中心に回動させて、透明板保持枠２を開き、遊技盤８を露出させ、手指で玉を除去して詰まりを解消することができる。
また、制御装置１０での不具合や、遊技島の内部側で発生した玉詰まり等の不具合が生じた場合には、透明板保持枠２及び機構板５を左側のヒンジ３を中心に回動させて、図１４に示すように、透明板保持枠２及び機構板５の一体性を維持した状態で透明板保持枠２及び機構板５を外郭枠６に対して開くこともできる。
【００１２】
即ち、従来技術のパチンコ機は、遊技中の遊技盤上で、玉が詰まったような場合には、透明板保持枠２を左側のヒンジ３ａ、３ｂを中心として左側に開くことができる。
しかし、周知の通り、遊技島を構成する複数のパチンコ機のうち、列状に並べられたパチンコ機は並設されており、隣接するパチンコ機同士は殆ど隙間がない配置とされている。そして、玉詰まりが生じたパチンコ機を中心として、その右隣又は左隣のパチンコ機が使用中（遊技中）であることも珍しくない。
従って、このような環境下で、透明板保持枠２を左側に開いた場合、そのパチンコ機の左右に隣接するパチンコ機を遊技する遊技者に迷惑を掛けてしまう場合がある。
【００１３】
また、パチンコ機１００は、遊技盤８に所定の方向に向けられて打ち付けられた図示しないクギが、遊技による玉の衝突等で徐々に方向変更されるため、定期的にクギを調整することが必要である。即ち、この場合であっても、玉詰まりを解消する場合と同様、透明板保持枠２を左側に開いて、クギが調整されている。しかしながら、クギ調整はハンマー等で叩いて行うため、ハンマー等を振り上げることができる一定の動作領域が必要であり、ヒンジ部分に近い領域においては、透明板保持枠２が遊技盤８と近接し過ぎてハンマー等を振り上げる際の障害となる問題がある。これにより、クギ調整における作業効率が大幅に低下してしまう。
【００１４】
そのため、通常、クギ調整は、作業効率の観点から、ガラス板３０を外した状態で行う。これにより、クギ調整の作業効率は低下することはないが、ガラス板３０の脱着作業の手間が増えるため、メンテナンス全体の作業効率として見ると作業効率が向上することはない。さらに、ハンマー等でガラス板３０を破壊することはないが、ガラス板３０の脱着作業によってガラス板３０を破壊してしまうという懸念があった。
【００１５】
この問題を解消する方策の一つとして、特許文献１に開示されたパチンコ機がある。
特許文献１に開示されたパチンコ機では、透明板保持枠を右側にも左側にも開くことができる。
【先行技術文献】
【特許文献】
【００１６】
【特許文献１】特開平１１−１３７８０６号公報
【発明の概要】
【発明が解決しようとする課題】
【００１７】
特許文献１に開示された発明は、前記した様に透明板保持枠を左右いずれの方向にも開くことができる。
しかしながら、昨今、一般に市販されている構造のパチンコ機には、特許文献１の構造を採用しがたい。
即ち、昨今のパチンコ機は、遊びごころをくすぐる演出として、効果音や光による装飾が行われる。そして、より臨場感を盛り上げるために、スピーカや電飾装置が透明板保持枠に取り付けられている。
例えば、前記したパチンコ機１００では、透明板保持枠２の上辺と下辺に電飾３５、３８やスピーカ３６、３７、４０、４１が設けられている。
そして、電飾３５、３８やスピーカ３６、３７、４０、４１の制御は、機構板５の制御装置１０によって制御される。また、電飾３５、３８やスピーカ３６、３７、４０、４１に電力を供給しなければならない。
そのため、本体１の機構板５と、透明板保持枠２との間には、多数の信号線や動力線が配線される必要がある。
【００１８】
ところが、特許文献１に開示されたような方策によって、透明板保持枠２を左右いずれの方向にも開くことができる構造とすると、本体１の機構板５と、透明板保持枠２との間の配線接続が困難となる。
【００１９】
例えば、図９、１２に示すパチンコ機１００では、透明板保持枠２と機構板５とは互いの下方の左側の辺近傍に渡り配線（図示しない）がなされている。即ち、透明板保持枠２は左辺４２を中心として揺動するから、透明板保持枠２の左辺４２近傍と機構板５の左辺４３近傍との間の距離は、透明板保持枠２の揺動角度に係わりなくほぼ一定である。そのためパチンコ機１００では、渡り配線が透明板保持枠２を開閉する際の妨げにならない。
【００２０】
しかしながら、特許文献１に開示されたように、透明板保持枠２を右側からでも左側からでも開くことができる構成とすると、透明板保持枠２の開閉角度によって透明板保持枠２の左辺又は右辺と、機構板５の左辺又は右辺の距離が変わってしまう。そのため、いずれか一方の方向に開く際には、渡り配線が邪魔になってしまう。
【００２１】
そこで、本発明では、従来技術の問題に鑑み、クギ調整や遊技盤上における玉詰まりの解消時に上記不具合を発生させることなく、さらに透明板保持枠の開放時に遊技機内部における電装品等の配線が開閉の妨げとならない弾球遊技機を提供することを課題とする。
【課題を解決するための手段】
【００２２】
上記課題を解決するため、請求項１に記載の発明は、遊技盤を有する本体と、本体とヒンジを介して接続された透明板保持枠とを備え、透明板保持枠は本体の前面側で開閉可能な弾球遊技機であって、前記ヒンジは、透明板保持枠が開閉される際の回動軸と、回動軸を相対的に回転可能に支持する軸支部と、回動軸又は回動軸及び軸支部の移動を可能とする移動手段とを有し、移動手段によって透明板保持枠を本体に対して横切る方向に移動可能であり、本体は、遊技盤を有する機構部と、当該機構部とヒンジを介して接続され機構部の外側を囲む外郭枠とを有し、機構部は外郭枠に対して開閉可能であって、機構部と外郭枠とを接続するヒンジの回動軸は、透明板保持枠と本体とを接続するヒンジの回動軸と同一であることを特徴とする弾球遊技機である。
すなわち、請求項１に記載の発明は、遊技盤を有する本体と、本体とヒンジを介して接続された透明板保持枠とを備え、透明板保持枠は本体の前面側で開閉可能な弾球遊技機であって、前記ヒンジは、透明板保持枠が開閉される際の基準となる回動軸と、回動軸を相対的に回転可能に支持する軸支部と、回動軸又は回動軸及び軸支部の移動を可能とする移動手段とを有し、移動手段によって透明板保持枠を本体に対して横切る方向に移動可能であることを特徴とする。
【００２３】
本発明の弾球遊技機は、ヒンジを構成する回動軸、あるいは、回動軸と軸支部の移動を可能とする移動手段を備えており、その移動手段によって透明板保持枠を本体に対して横切る方向に移動可能とされている。即ち、本発明では、透明板保持枠を本体に対して、回動軸を基準とした回動動作の方向とは異なる方向に相対的にスライドさせることが可能となる。具体的には、透明板保持枠を本体に対して開放方向に回動した開放状態において、本体の正面側で透明板保持枠が被る領域を変更できる。これにより、透明板保持枠を開放した状態において、必要に応じて、ヒンジ近傍における本体と透明板保持枠が過度に近接する領域を移動できるため、クギ調整の際にハンマー等を振り上げることが困難な部分がなくなり、クギ調整の際の作業効率を向上させることができる。さらに、わざわざ透明板保持枠に保持された透明板（例えばガラス板）を着脱するという手間がなくなるため、メンテナンス作業全体からしても効率がよい。
【００２４】
また、遊技の最中、遊技盤上に玉詰まりが発生して、透明板保持枠を開ける必要性が生じても、透明板保持枠を移動手段を用いて移動させることで、開放状態の透明板保持枠が隣接した弾球遊技機の正面側に侵入することや、遊技場の店員の作業領域が隣接した弾球遊技機で遊技する遊技者側に侵入することが防止されるため、結果的に他の遊技者に迷惑を掛けることがない。
請求項２に記載の発明は、前記回動軸は、段形状で、機構係合段と、外郭係合段と、透明板係合段とを有し、機構係合段が機構部に位置し、外郭係合段が外郭枠に位置し、透明板係合段が透明板保持枠に位置する回動姿勢では、回動軸あるいは回動軸及び軸支部の移動が不能であり、所定の操作により、透明板係合段が機構部及び透明板保持枠に渡って配置され回動姿勢が解除されれば、回動軸あるいは回動軸及び軸支部の移動が可能となることを特徴とする請求項１に記載の弾球遊技機である。
【００２５】
請求項３に記載の発明は、移動手段は、長孔状のレールであって、当該レールは回動軸の移動を案内し、回動軸をレールに沿って移動させることで透明板保持枠が移動することを特徴とする請求項１又は２に記載の弾球遊技機である。
【００２６】
かかる構成によれば、長孔状のレールに沿って回動軸を移動させれば、透明板保持枠を移動させることができるため、操作が容易である。
【００２７】
一般的に、弾球遊技機における機構部と透明板保持枠のヒンジを構成する回動軸は同一のものが利用されている。そのため、この構造を維持した状態で、透明板保持枠を機構部に対して相対的にスライドさせることは困難である。
そこで、請求項４に記載の発明は、遊技盤を有する本体と、本体とヒンジを介して接続された透明板保持枠とを備え、透明板保持枠は本体の前面側で開閉可能な弾球遊技機であって、前記ヒンジは、透明板保持枠が開閉される際の回動軸と、回動軸を相対的に回転可能に支持する軸支部と、回動軸又は回動軸及び軸支部の移動を可能とする移動手段とを有し、移動手段によって透明板保持枠を本体に対して横切る方向に移動可能であり、移動手段は、長孔状のレールであって、当該レールは回動軸の移動を案内し、回動軸をレールに沿って移動させることで透明板保持枠が移動するものであり、本体は、遊技盤を有する機構部と、当該機構部とヒンジを介して接続され機構部の外側を囲む外郭枠とを有し、機構部は外郭枠に対して開閉可能であって、機構部と外郭枠とを接続するヒンジの回動軸と、透明板保持枠と本体とを接続するヒンジの回動軸は異なり、前記本体に透明板保持枠が装着された状態において、前記機構部と外郭枠とを接続するヒンジの回動軸と透明板保持枠と本体とを接続するヒンジの回動軸は、遊技盤の面から直交方向に延びた同一の直線上に配されていることを特徴とする弾球遊技機である。
すなわち、請求項４に記載の発明は、本体は、遊技盤を有する機構部と、当該機構部とヒンジを介して接続され機構部の外側を囲む外郭枠とを有し、機構部は外郭枠に対して開閉可能であって、機構部と外郭枠とを接続するヒンジの回動軸と、透明板保持枠と本体とを接続するヒンジの回動軸は異なることを特徴とする。
【００２８】
かかる構成によれば、機構部のヒンジの回動軸と、透明板保持枠のヒンジの回動軸が異なるため、構造が容易である。即ち、機構部のヒンジの構造を前記一般的な構造に維持し、透明板保持枠のヒンジの構造を新たに形成することで、透明板保持枠のスライド機能を容易に付与することができる。
【００２９】
請求項２に記載の発明は、本体は、遊技盤を有する機構部と、当該機構部とヒンジを介して接続され機構部の外側を囲む外郭枠とを有し、機構部は外郭枠に対して開閉可能であって、機構部と外郭枠とを接続するヒンジの回動軸は、透明板保持枠と本体とを接続するヒンジの回動軸と同一であり、当該回動軸は、段形状で、機構係合段と、外郭係合段と、透明板係合段とを有し、機構係合段が機構部に位置し、外郭係合段が外郭枠に位置し、透明板係合段が透明板保持枠に位置する回動姿勢では、回動軸あるいは回動軸及び軸支部の移動が不能であり、所定の操作により、透明板係合段が機構部及び透明板保持枠に渡って配置され回動姿勢が解除されれば、回動軸あるいは回動軸及び軸支部の移動が可能となることを特徴とする。
【００３０】
かかる構成によれば、機構部と外郭枠とを接続するヒンジの回動軸と、透明板保持枠と本体とを接続するヒンジの回動軸とが同一であるため、外観がスマートである。
また、所定の操作によって、回動軸あるいは回動軸及び軸支部の移動が可能となるため、予期せず透明板保持枠が移動してしまう不具合が防止される。
【発明の効果】
【００３１】
本発明の弾球遊技機では、移動手段を備え、移動手段によって透明板保持枠を本体に対して横切る方向に移動可能であるため、ヒンジの近傍における透明板保持枠と本体とが隣接した領域を必要に応じて変更することができる。これにより、クギ調整の作業効率が向上する上、遊技盤上の詰まりを解消する際に隣接する遊技者に対して迷惑を掛けることがない。
【図面の簡単な説明】
【００３２】
【図１】本発明の実施形態の弾球遊技機の斜視図である。
【図２】図１の弾球遊技機の分解斜視図である。
【図３】図１の弾球遊技機の第１ヒンジの分解斜視図である。
【図４】図１の弾球遊技機の第２ヒンジの分解斜視図である。
【図５】図１の弾球遊技機の外郭枠と、機構板と、透明板保持枠の位置関係を概念的に図示した平面図であり、弾球遊技機の遊技使用時の状態を示す。
【図６】図１の弾球遊技機の外郭枠と、機構板と、透明板保持枠の位置関係を概念的に図示した平面図であり、透明板保持枠を開いた状態を示す。
【図７】図１の弾球遊技機の外郭枠と、機構板と、透明板保持枠の位置関係を概念的に図示した平面図であり、透明板保持枠をスライドさせた状態を示す。
【図８】図１の弾球遊技機の外郭枠と、機構板と、透明板保持枠の位置関係を概念的に図示した平面図であり、機構板を開いた場合の状態を示す。
【図９】従来技術の弾球遊技機の斜視図である。
【図１０】図９の弾球遊技機の分解斜視図である。
【図１１】図９の弾球遊技機のヒンジの分解斜視図である。
【図１２】図９の弾球遊技機の外郭枠と、機構板と、透明板保持枠の位置関係を概念的に図示した平面図であり、弾球遊技機の遊技使用時の状態を示す。
【図１３】図９の弾球遊技機の外郭枠と、機構板と、透明板保持枠の位置関係を概念的に図示した平面図であり、透明板保持枠を開いた場合の状態を示す。
【図１４】図９の弾球遊技機の外郭枠と、機構板と、透明板保持枠の位置関係を概念的に図示した平面図であり、機構板を開いた場合の状態を示す。
【図１５】本実施形態におけるヒンジの変形例を示す斜視図である。
【図１６】図１５のヒンジを組み合わせた際の各部材の位置関係を概念的に示した断面図であり、回動姿勢の状態を示す。
【図１７】図１５ヒンジを組み合わせた際の各部材の位置関係を概念的に示した断面図であり、回動姿勢が解除された状態を示す。
【発明を実施するための形態】
【００３３】
以下、本発明の実施形態に係る弾球遊技機（以下、パチンコ機と称す）５０について説明する。
なお、以下の説明においては、特に断りがない限り、上下左右、前後方向の表現に関しては、通常の設置位置（図１）を基準に説明する。
【００３４】
本実施形態のパチンコ機５０は、透明板保持枠２を機構板（機構部）５に対して横切る方向に移動できる構造としたものである。
即ち、本実施形態のパチンコ機５０は、透明板保持枠２が機構板５に対して横切る方向に移動できる点と、その構造にするために第１のヒンジ５３ａ、５３ｂに加えて第２のヒンジ５４ａ、５４ｂを設けた点等を除いて、先に説明した従来技術のパチンコ機１００とほぼ同一の構造である。そのため、同一の部材には同一の番号を付し、重複した部材の説明は簡略なものとする。
【００３５】
本実施形態のパチンコ機５０は、図１、２に示すように、本体１と透明板保持枠２によって構成されている。
本体１は、図２に示すように、機構板５と外郭枠６によって構成されている。機構板５は、クギ（図示せず）や入賞口７が設けられた遊技盤８を前面側（正面側）に有し、制御装置１０等が後面側（背面側）に設けられた部材である。外郭枠６は、機構板５を囲む長方形状の枠である。
【００３６】
そして、本実施形態では、機構板５と外郭枠６との間に第１ヒンジ５３ａ、５３ｂが設けられている。
第１ヒンジ５３ａ、５３ｂの構造は、図３に示すように、下部部材１４を有さない点以外は従来技術とほぼ同一である。即ち、第１ヒンジ５３ａ、５３ｂは、互いに天地逆に取り付けられたものであり、機構板５に取り付けられた上部片１１と、外郭枠６に取り付けられた中間片１２とによって構成されている。
【００３７】
上部片１１は、機構板５の上部左側にあり、立ち上げ部１５と、前面に向かって延びる突出部１６と、水平方向に延びる面上であって左側に向かって延びるオフセット部１７とを有している。そして、オフセット部１７から下向きにピン（回動軸）１８が垂下されている。
中間片１２は、外郭枠６の上部左側にあり、立ち下げ部２０と、前面に向かって延びる突出部２１を有している。そして、突出部２１には、切り欠き状の孔２２が形成されている。
【００３８】
そして、上記した上部片１１、中間片１２は、この順に上から重ねられ、上部片１１に設けられたピン１８が中間片１２の孔２２に挿通されている。なお、ヒンジ部５３ｂについても、天地方向が逆であることを除けば同様である。
従って、パチンコ機５０では、機構板５が上下のピン１８を中心として揺動することができる。
【００３９】
透明板保持枠２は、図２に示すように、ガラス板３０が嵌め込まれた板保持部３１と、上皿３２及びハンドル３３等が取り付けられたものである。また、透明板保持枠２の上部辺には、電飾３５及びスピーカ３６、３７が設けられている。透明板保持枠２の下部辺にも、電飾３８及びスピーカ４０、４１が設けられている。
【００４０】
そして、本実施形態のパチンコ機５０では、透明板保持枠２と機構板５との間に第２ヒンジ５４ａ、５４ｂが設けられ、第２ヒンジ５４ａ、５４ｂによって透明板保持枠２と機構板５が接続されている。
【００４１】
第２ヒンジ５４ａ、５４ｂについても、互いに天地逆に取り付けられたものであり、構成部材はほぼ同一であるから、代表して上部側のヒンジ５４ａの構造を説明する。
第２ヒンジ５４ａは、図２に示すように、機構板５の上部左側から中間あたりに取り付けられた広域張出片７３と、透明板保持枠２の上部左側に取り付けられた軸付部材７６によって構成されている。
【００４２】
広域張出片７３は、機構板５の本体から若干上方に立ち上げられ、前面に向かって張り出すような形状とされている。即ち、広域張出片７３は、図４に示すように、垂直上方に立ち上げられた上方立設部７７と、前面に向かって水平方向に面状に延びる張出部７９とを有している。そして、張出部７９には、上下方向（部材の厚み方向）に貫通した作動用孔８２が設けられている。この作動用孔８２は、左右方向に延びた長孔状に形成されており、後述する軸付部材７６のピン８１に対する支軸機能と、ピン８１の移動を可能とする移動機能の双方を付与することができる。即ち、作動用孔８２は、ピン８１を相対的に回転可能に支持し、さらにピン８１を長孔の長手方向に沿って相対的に移動させることができる移動手段を担うものである。
【００４３】
軸付部材７６は、透明板保持枠２と一体的に形成されたブロック状の部分であり、透明板保持枠２の上部左側に位置し、前面に向かって突出している。即ち、軸付部材７６は、前面に向かってブロック状に突出したブロック状突部８０と、そのブロック状突部８０の天面から上方に立設したピン８１を有する。
【００４４】
そして、上記した広域張出片７３、軸付部材７６は、この順に上から重ねられ、軸付部材７６に設けられたピン８１が広域張出部７３の作動用孔８２に挿通されている。なお、第２ヒンジ部５４ｂについても、天地方向が逆であることを除けば同様である。
従って、本実施形態のパチンコ機５０では、透明板保持枠２が上下のピン８１を中心として揺動することができると共に、作動用孔８２に沿って本体１を横切る方向に移動することができる。
【００４５】
また、本実施形態のパチンコ機５０では、機構板５の前面の下部から延長された信号線や動力線が、透明板保持枠２における電飾３５、３８やスピーカ３６、３７、４０、４１等へ配線されているが、透明板保持枠２の動作を考慮して若干余裕を持たせている。
なお、パチンコ機５０には、セキュリティーの観点から、錠が取り付けられているが、本発明においては、特に関係しないため説明を省略する。
【００４６】
次に、本実施形態のパチンコ機５０の各部材の位置関係について、状況ごとに説明する。なお、以下の説明では、本実施形態の特徴的構成に注目して説明する。
通常の遊技時においては、図１、５に示すように、本体１に透明板保持枠２が装着された状態で使用される。
即ち、この状態では、錠がロックされており、外郭枠６の中に機構板５が装着されて本体１が構成され、本体１の前面（正面）に透明板保持枠２が装着されている。また、このとき、ヒンジ５３、５４のピン１８、８１が、遊技盤８の面から直交方向に延びた同一の直線上（仮想線上）に配された関係とされている。また、図１に示すように、本体１に透明板保持枠２が装着された状態では、透明板保持枠２に一体的に接合された軸付部材７６のピン８１が、広域張出片７３の作動用孔８２の左端部に位置されている。
【００４７】
一方、遊技中あるいはメンテナンス等において、錠のロックを解除して、本体１に対して透明板保持枠２を開放した状態にされる場合がある。
即ち、本実施形態では、まず、図６に示すように、外郭枠６の中に機構板５が装着された状態で、第２ヒンジ５４を介して、本体１に対して透明板保持枠２の右側が開方向に移動される。このときは、軸付部材７６のピン８１を広域張出片７３の作動用孔８２に対して、相対的に回動させるだけであるため、通常の遊技時と同様、ヒンジ５３、５４のピン１８、８１が、遊技盤８の面から直交方向に延びた同一の直線上（仮想線上）に配された関係とされている。即ち、軸付部材７６のピン８１を広域張出片７３の作動用孔８２に対して、相対的に回動させただけの状態では、透明板保持枠２に一体的に接合された軸付部材７６のピン８１が、広域張出片７３の作動用孔８２の左端部に配された状態で、透明板保持枠２が開放される。そして、その結果、透明板保持枠２の左辺４２が本体１の左側に位置した状態で遊技盤８が露出する（通常の開放姿勢）。
【００４８】
そして、本実施形態では、さらに第２ヒンジ５４を介して、通常の開放姿勢から別の姿勢に変更することができる。即ち、透明板保持枠２を本体１に対して横切る方向に移動させることができる。具体的には、軸付部材７６のピン８１が、広域張出片７３の作動用孔８２の長手方向に沿って移動される。より詳細には、図７に示すように、透明板保持枠２が本体１に対して、パチンコ機５０を正面視した際を基準として、右方向にスライドされる。このとき、ヒンジ５３、５４のピン１８、８１は、遊技盤８の面から直交方向に延びた異なる直線上（仮想線上）に配された関係とされており、通常の遊技の際のピン１８、８１の位置関係と比較すれば、互いにずれた位置関係と言える。即ち、透明板保持枠２が本体１に対して開いた状態で、透明板保持枠２に一体的に接合された軸付部材７６のピン８１が、広域張出片７３の作動用孔８２の左端部から右側にずれた状態とされ、その結果、透明板保持枠２の左辺４２が本体１の左右方向中間に位置した状態で遊技盤８が露出する（変更姿勢）。換言すれば、遊技盤８は、透明板保持枠２の左右に露出する。
【００４９】
また、制御装置１０や、遊技島内部で玉詰まりが発生した場合においては、錠のロックを解除して、機構板５が外郭枠６に対して開放した状態にされる場合がある。
この状態においては、図８に示すように、機構板５と透明板保持枠２とが合体した複合体が構成され、その複合体が、第１ヒンジ５３を介して、外郭枠６に対して複合体の右側が開方向に移動される。このとき、第２ヒンジ５４は機能しないため、ヒンジ５３、５４のピン１８、８１は、遊技盤８の面から直交方向に延びた同一の直線上（仮想線上）に配された関係が維持される。即ち、第２ヒンジ５４のピン８１は、広域張出片７３の作動用孔８２の左端部に位置している。その結果、複合体の左辺が外郭枠６の左側に位置した状態で遊技島内部が露出する。
【００５０】
以上により、本実施形態のパチンコ機５０は、機構板５と外郭枠６とを接続する第１ヒンジ５３に加えて、機構板６と透明板保持枠２とを接続する第２ヒンジ５４を設け、さらに第２ヒンジ５４において透明板保持枠２の移動手段となる作動用孔８２を設けたため、透明板保持枠２に通常の開閉機能を付与すると共に、本体１に対して相対移動するスライド機能を付与することができる。これにより、クギ調整の際の作業効率の改善や、玉詰まり解消時に生じ得る他の遊技者への迷惑行為が解消される。
【００５１】
上記実施形態では、第１ヒンジ５３に加えて、第２ヒンジ５４を追加して、全体として２軸構成にすることで、透明板保持枠２にスライド機能を付与した構成を示したが、本発明はこれに限定されず、例えば、２軸構成にすることなく、１軸構成で透明板保持枠２にスライド機能を付与した構成であっても構わない。以下に、１軸構成にして透明板保持枠２にスライド機能を付与したヒンジ５７ａ、５７ｂに注目して説明する。
【００５２】
ヒンジ５７ａ、５７ｂは、図１５に示すように、回動軸６０と、上部片６１と、中間片６２と、下部部材６３とで構成されている。なお、ヒンジ５７ａ、５７ｂについても、互いに天地逆に取り付けられたものであり、構成部材はほぼ同一であるから、代表して上部側のヒンジ５７ａの構造を説明する。
【００５３】
回動軸６０は、軸方向に径を変更した３段構成とされており、外郭枠６に対して相対回転可能に係合する外郭係合段６０ａと、機構板５に対して相対回転可能に係合する機構係合段６０ｂと、透明板保持枠２に対して相対回転可能に係合する透明板係合段６０ｃとで構成されている。そして、回動軸６０における各段の径の関係は、機構係合段６０ｂ＞外郭係合段６０ａ＞透明板係合段６０ｃである。また、各段の軸方向長さについては、透明板係合段６０ｃの軸方向長さが、他の段の軸方向長さより十分長く設定されている。具体的には、透明板係合段６０ｃの軸方向長さは、他の段の軸方向長さより３〜５倍くらいの長さとされている。なお、透明板係合段６０ｃの基端側外周部においては、ネジ切りがされた雄ネジ部６０ｄが設けられている。
【００５４】
上部片６１は、機構板５の上部左側に配されるもので、機構板５の本体から若干上方に立ち上げられ、前面に向かって突出している。そして、先端側が左右に延びている。即ち、上部片１１は、図１５に示すように、垂直上方に立ち上げられた上方立設部６４と、前面に向かって延びた突出部６５と、水平方向に延びる面上であって左右に向かって延びる拡幅部６６とを有している。
【００５５】
そして、拡幅部６６には、上下方向（部材の厚み方向）に貫通した長孔６７が設けられている。長孔６７は、左端部に位置する回動保持部（支軸部）６７ａと、回動保持部６７ａの右側に隣接し連通した可動保持部（移動手段）６７ｂとにより構成されている。なお、回動保持部６７ａの径は回動軸６０の機構係合段６０ｂの径とほぼ同じであり、可動保持部６７ｂの前後方向（長孔６７の長手方向に直交する方向）の長さは、回動軸６０の外郭係合段６０ａの径とほぼ等しいかそれより若干小さい。
【００５６】
中間片６２は、外郭枠６の上部左側に配され、外郭枠６の上端から若干下方に立ち上げられて前面に向かって突出している。即ち、中間片１２は、図１５に示すように、垂直下方に伸ばされた下方立設部６８と、前面に向かって延びる突出部６９を有している。
そして、突出部６９には、先端側を「つ」の字型に形成した切り欠き状の係合側面７０が設けられている。
【００５７】
下部部材６３は、透明板保持枠２と一体的に形成されたブロック状の部分であり、透明板保持枠２の上部左側に位置し、前面に向かって突出している。即ち、下部部材６３は、前面に向かってブロック状に突出したブロック状突部７１を有し、そのブロック状突部７１には上下方向に貫通した孔７２が形成されている。なお、この孔７２の上側には、ネジ切りされた雌ネジ部７２ａが設けられている。
【００５８】
そして、上記した上部片６１、中間片６２及び下部部材６３は、この順に上から重ねられ、回動軸６０が、上部片６２の長孔６７、中間片６２の係合側面７０及び下部部材６３の孔７２が互いに連通した状態で挿通される。なお、ヒンジ部３ｂについても、天地方向が逆であることを除けば同様である。
【００５９】
そして、この構成を備えたヒンジ５７においては、図１６に示すように、回動軸６０の各段のそれぞれが、上部片６１、中間片６２、下部部材６３の対応する位置に係合された状態（回動姿勢）であれば、回動軸６０は回動保持部６７ａを中心に、透明板保持板２を開閉させることができる。
【００６０】
また、この構成によれば、回動軸６０の雄ネジ部６０ｄと下部部材６３の雌ネジ部７２ａの螺合状態を調整して、回動軸６０の係合状態を変更することができる。即ち、回動軸６０を緩める方向に回し回動軸６０を、図１７に示すように、上方に突出させた状態にすることで、回動軸６０の各段のそれぞれが、上部片６１、中間片６２、下部部材６３の対応する位置から外れて回動姿勢が解除された状態となる。このとき、回動軸６０の透明板係合段６０ｃは、中間片６２から下部部材６３に渡って配された配置となる。
【００６１】
即ち、回動軸６０の外郭係合段６０ａは、長孔６７と同じ高さの位置に配されることとなるため、回動軸６０を長孔６７に沿って移動させることができる。従って、透明板保持枠２を本体１に対して開放した状態にし、回動軸６０の係合状態を変更すれば、透明板保持枠２を長孔６７に沿ってスライドさせることができる。
以上により、この構成によれば、ヒンジを一軸構成にした場合であっても、上記した実施形態と同様の作用効果を得ることができる。
なお、この構成では、長孔６７の左端部にのみ回動保持部６７ａを設けた構成を示したが、右端部や長孔６７の長手方向中途に設けても構わない。さらに、回動軸６０の姿勢をネジの螺合状態によって調整する構成としたが、その構成に替えてあるいは加えて、回動軸６０を孔に挿入する方向に押さえつけるストッパ部材（図示しない）及び回動軸６０を孔から露出する方向に付勢する付勢部材（図示しない）を用いても構わない。
【００６２】
また、上記実施形態では、ピン（回動軸）８１が作動用孔８２に沿って移動する構成を示したが、本発明はこれに限定されず、例えば、第２ヒンジ５４を構成する広域張出片７３に公知の直動案内装置のようにレール上を直線的に可動する機能を付与し、広域張出部７３が移動することで、透明板保持枠２がスライドする構成としても構わない。
【符号の説明】
【００６３】
１    本体
２    透明板保持枠
５    機構板（機構部）
６    外郭枠
８    遊技盤
５０    パチンコ機（弾球遊技機）
５３    第１ヒンジ
５４    第２ヒンジ
５７    ヒンジ
６７ａ    回動保持部（支軸部）
６７ｂ    可動保持部（移動手段）
８２    作動用孔（支軸部、移動手段）
【図１】
0005800502.tif 000002
【図２】
0005800502.tif 000003
【図３】
0005800502.tif 000004
【図４】
0005800502.tif 000005
【図５】
0005800502.tif 000006
【図６】
0005800502.tif 000007
【図７】
0005800502.tif 000008
【図８】
0005800502.tif 000009
【図９】
0005800502.tif 000010
【図１０】
0005800502.tif 000011
【図１１】
0005800502.tif 000012
【図１２】
0005800502.tif 000013
【図１３】
0005800502.tif 000014
【図１４】
0005800502.tif 000015
【図１５】
0005800502.tif 000016
【図１６】
0005800502.tif 000017
【図１７】
0005800502.tif 000018